(57)【特許請求の範囲】
【請求項１】
光学像から画像データを取得する映像入力部と、
位置算出信号を取得する信号受信部と、
前記画像データを送信する通信部と、
前記画像データの送信を行わない場所の位置情報を記憶する第１の記憶部と、
２つの地点の移動手段毎の経路と、前記移動手段毎の経路において前記画像データの送信を行わない区間を記憶する第２の記憶部と、
前記位置算出信号から取得した位置情報と前記第１の記憶部に記憶された位置情報と前記第２の記憶部に記憶された区間に基づいて前記画像データの送信の実行を制御する制御部を備えたことを特徴とする情報処理装置。
【請求項２】
請求項１に記載の情報処理装置であって、
前記映像入力部からの画像データを取得する日時を記憶するスケジュール記憶部と、
前記スケジュール記憶部に記憶された日時に割込みを発生するスケジュール管理部を有し、
前記制御部は、前記割込みが発生したときに前記第２の記憶部に記憶された前記移動手段毎の経路において前記画像データの送信を行わない区間を読み込み、前記位置算出信号から取得した位置情報と、前記第１の記憶部に記憶された位置情報と前記第２の記憶部に記憶された区間に基づいて前記画像データの送信の実行を制御することを特徴とする情報処理装置。
【請求項３】
請求項１に記載の情報処理装置であって、
前記映像入力部は映像入力インターフェースであり、前記画像データは前記情報処理装置の外部から取得することを特徴とする情報処理装置。
【請求項４】
請求項１に記載の情報処理装置であって、
前記制御部は、前記位置算出信号から取得した位置情報が前記第１の記憶部に記憶された位置情報の所定の範囲内の場合に前記画像データの送信を行わないことを特徴とする情報処理装置。
【請求項５】
請求項１に記載の情報処理装置であって、
前記制御部は、前記位置算出信号から取得した位置情報と前記第１の記憶部に記憶された位置情報に基づいて前記画像データの取得を制御することを特徴とする情報処理装置。
【請求項６】
請求項１に記載の情報処理装置であって、
前記映像入力部で取得した画像データを保存する第３の記憶部を有し、
前記制御部は、前記位置算出信号から取得した位置情報と前記第１の記憶部に記憶された位置情報に基づいて前記画像データの前記第３の記憶部への保存を制御することを特徴とする情報処理装置。
【発明の詳細な説明】
【技術分野】
【０００１】
本発明は、情報処理装置、及びその画像データ制御方法に関する。
【背景技術】
【０００２】
従来の監視カメラは、犯罪防止及び犯罪解決のため、店舗などに固定のカメラを設置し、撮影した動画或いは静止画の画像を保存し、犯罪が発生したときには保存された画像から犯人を特定する情報を取得できるようにしている。しかし、個人が通勤や通学などの途中で防犯カメラが設置していない場所で強盗などに襲われた場合には対応することができない。そこで、個人が身体に装着して、身体周辺を常時監視可能な携帯型防犯カメラが提案されている。
【０００３】
本技術分野の背景技術として、特開２００６−８６５８２号公報（特許文献１）がある。特許文献１には、画像信号を入力する信号入力器と、入力した画像信号を一時保存する信号一時保存器と、身体又は身体の周辺に異常が発生したことを検知する非常事態検出手段と、非常事態検出手段が検知した異常信号に基づき信号一時保存器から画像信号を取り込んで保存する信号蓄積器とを備えている。非常事態検出手段が検知した大振動などの異常信号により信号一時保存器あるいは信号蓄積器に画像信号を消去することなく保存することができる点、及び、警備室などの固定局に情報が送信されて、監視用、保存用に供される点が記載されている。
【先行技術文献】
【特許文献】
【０００４】
【特許文献１】特開２００６−８６５８２号公報
【発明の概要】
【発明が解決しようとする課題】
【０００５】
上記特許文献１は、犯人によって携帯型防犯カメラが持ち去られた場合、或いは完全に破壊されたような場合にも、固定局に画像信号を保存することができるので、証拠写真が消滅することがない点が記載されている。例えば、ネットワークを介して画像を画像データサーバに保存する場合、自宅から外出時にカメラによる撮影を開始し、外出から自宅に戻った時に撮影を終了するのを忘れると、自宅においても画像を画像データサーバに送信し、保存することになる。このため、不必要な画像データを送信、保存し、データ通信量或いは画像サーバの記憶領域の保存容量が増大するという問題が生じる。また、外出時にカメラによる撮影の開始を忘れると、画像を画像データサーバに保存できないという問題が生じる。すなわち、ユーザが撮影の開始、或いは終了を忘れた場合に、画像データを保存できない、或いは不要な画像データを保存してしまうという課題があった。
【０００６】
本発明の目的は、上記課題を考慮し、より好適な使い勝手を実現する情報処理装置を提供することである。
【課題を解決するための手段】
【０００７】
上記課題を解決するために、本発明は、その一例を挙げるならば、情報処理装置であって、光学像から画像データを取得する映像入力部と、位置算出信号を取得する信号受信部と、画像データを送信する通信部と、画像データの送信を行わない場所の位置情報を記憶する第１の記憶部と、位置算出信号から取得した位置情報と第１の記憶部に記憶された位置情報に基づいて画像データの送信の実行を制御する制御部を備える。
【発明の効果】
【０００８】
本発明によれば、より好適な使い勝手を実現する情報処理装置を提供することができる。
【図面の簡単な説明】
【０００９】
【図１（Ａ）】実施例１における映像記録装置の構成例を示すブロック図である。
【図１（Ｂ）】実施例１における映像記録装置のソフトウェア構成例を示す図である。
【図２】実施例１における映像記録装置を含む通信システムの構成例を示す図である。
【図３】実施例１における映像記録装置の外観例、及び基本画面の表示例を示す図である。
【図４】実施例１における映像記録装置のカメラ機能実行部の動作例を説明するフローチャートである。
【図５】図４のカメラ機能選択画面の表示例を示す図である。
【図６】図４の撮影条件設定処理における表示画面の表示例を示す図である。
【図７】図４の撮影除外場所登録処理の一例を示すフローチャートである。
【図８】図７の撮影除外場所登録処理における表示画面の表示例を示す図である。
【図９】図４の再生処理の一例を示すフローチャートである。
【図１０】図９の再生処理における表示画面の表示例を示す図である。
【図１１】図４の撮影処理の一例を示すフローチャートである。
【図１２】実施例２における撮影処理の一例を示すフローチャートである。
【図１３】図１２の撮影処理における表示画面の表示例を示す図である。
【図１４】実施例２における映像記録装置の装着状態の例を示す図である。
【図１５】図１２における警告画面の表示画面の表示例を示す図である。
【図１６】実施例３における映像記録装置のソフトウェア構成例を示す図である。
【図１７】実施例３における映像記録装置のカメラ機能実行部の動作例を説明するフローチャートである。
【図１８】図１７のカメラ機能選択画面の表示例を示す図である。
【図１９】図１７の経路撮影処理の一例を示すフローチャートである。
【図２０】図１９の経路リストの表示画面の表示例を示す図である。
【図２１】図１９の新規経路登録処理の一例を示すフローチャートである。
【図２２】図２１の新規経路登録処理における表示画面の表示例を示す図である。
【図２３】図１７のスケジュール撮影処理の一例を示すフローチャートである。
【図２４】映像入力部と映像記録装置とが別体である場合の構成例である。
【発明を実施するための形態】
【００１０】
以下、本発明の実施例を、図面を用いて説明する。
【実施例１】
【００１１】
図１（Ａ）は、本実施例における情報処理装置である映像記録装置の構成例を示すブロック図である。図１（Ａ）において、映像記録装置１００は、主制御部１０１、システムバス１０２、ＲＯＭ（Read Only Memory）１０３、ＲＡＭ（Random Access Memory)１０４、ストレージ部１１０、映像処理部１２０、音声処理部１３０、操作部１４０、通信処理部１５０、センサ部１６０、拡張インタフェース部１７０、で構成される。
【００１２】
図１（Ｂ）は、本実施例における映像記録装置１００のソフトウェア構成例を示す図であり、ＲＯＭ１０３、ＲＡＭ１０４、及びストレージ部１１０におけるソフトウェア構成を示す。詳細は後述する。
【００１３】
図２は、本実施例における映像記録装置１００を含む通信システムの構成例を示す図である。図２において、通信システムは、映像記録装置１００と、インターネット等の広域公衆ネットワーク２０１及びその無線通信用アクセスポイント２０２、移動体電話通信網の基地局２０３、画像データサーバ２１１、移動体電話通信サーバ２１２、で構成される。映像記録装置１００は、カメラ機能を備えた携帯電話やスマートホンの他、デジタルスチルカメラ等であっても良い。また、動画撮影可能なビデオカメラや携帯型ゲーム機等、またはその他の携帯用デジタル機器であっても良い。
【００１４】
図１（Ａ）において、主制御部１０１は、所定のプログラムに従って映像記録装置１００全体を制御するマイクロプロセッサユニットである。システムバス１０２は主制御部１０１と映像記録装置１００内の各部との間でデータ送受信を行うためのデータ通信路である。
【００１５】
ＲＯＭ１０３は、オペレーティングシステムなどの基本動作プログラムやその他のアプリケーションプログラムが格納されたメモリであり、例えばＥＥＰＲＯＭ（Electrically Erasable Programmable ROM）やフラッシュＲＯＭのような書き換え可能なＲＯＭが用いられる。ＲＯＭ１０３に格納されたプログラムを更新することにより、基本動作プログラムやその他のアプリケーションプログラムのバージョンアップや機能拡張が可能であるものとする。
【００１６】
ＲＡＭ１０４は基本動作プログラムやその他のアプリケーションプログラム実行時のワークエリアとなる。具体的には、例えばＲＯＭ１０３に格納された基本動作プログラム１０３ａはＲＡＭ１０４に展開され、更に主制御部１０１が前記展開された基本動作プログラムを実行することにより、基本動作実行部１０４ａを構成する。以下では、説明を簡単にするために、主制御部１０１がＲＯＭ１０３に格納された基本動作プログラム１０３ａをＲＡＭ１０４に展開して実行することにより各部の制御を行う処理を、基本動作実行部１０４ａが各部の制御を行うものとして記述する。なお、その他のアプリケーションプログラムに関しても同様の記述を行うものとする。
【００１７】
ＲＯＭ１０３及びＲＡＭ１０４は主制御部１０１と一体構成であっても良い。また、ＲＯＭ１０３は、図１（Ａ）に示したような独立構成とはせず、ストレージ部１１０内の一部記憶領域を使用しても良い。また、ＲＡＭ１０４は、各種アプリケーションプログラム実行時に、必要に応じてデータを一時的に保持する一時記憶領域を備えるものとする。
【００１８】
ストレージ部１１０は、映像記録装置１００の各動作設定値や映像記録装置１００の使用者の情報等を記憶する。また、映像記録装置１００で撮影した静止画像データや動画像データ等も、ストレージ部１１０は、記憶可能であるものとする。
【００１９】
ストレージ部１１０の一部領域を以ってＲＯＭ１０３の機能の全部または一部を代替しても良い。また、ストレージ部１１０は、映像記録装置１００に電源が供給されていない状態であっても記憶している情報を保持する必要がある。したがって、例えばフラッシュＲＯＭやＳＳＤ（Solid State Drive）、ＨＤＤ（Hard Disc Drive）等のデバイスが用いられる。
【００２０】
映像処理部１２０は、表示部１２１、映像信号処理部１２２、第一映像入力部１２３、第二映像入力部１２４、で構成される。表示部１２１は、例えば液晶パネル等の表示デバイスであり、映像信号処理部１２２で処理した映像データを映像記録装置１００の使用者に提供する。映像信号処理部１２２は図示を省略したビデオＲＡＭを備え、前記ビデオＲＡＭに入力された映像データに基づいて表示部１２１が駆動される。また、映像信号処理部１２２は、必要に応じてフォーマット変換、メニューやその他のＯＳＤ（Ｏｎ  Ｓｃｒｅｅｎ  Ｄｉｓｐｌａｙ）信号の重畳処理等を行う機能を有するものとする。第一映像入力部１２３及び第二映像入力部１２４は、ＣＣＤ（Charge Coupled Device）やＣＭＯＳ（Complementary Metal Oxide Semiconductor）センサ等の電子デバイスを用いてレンズから入力した光学像を電気信号に変換することにより、周囲や対象物の映像データを入力するカメラユニットである。なお、このカメラユニットで取得するデータは動画或いは静止画であるので、以降、映像データを含めて画像データと称する。
【００２１】
音声処理部１３０は、音声出力部１３１、音声信号処理部１３２、音声入力部１３３、で構成される。音声出力部１３１はスピーカであり、音声信号処理部１３２で処理した音声信号を映像記録装置１００の使用者に提供する。音声入力部１３３はマイクであり、使用者の声などを音声データに変換して入力する。なお、音声入力部１３３は映像記録装置１００と別体であり、有線通信または無線通信により映像記録装置１００と接続されるものであっても良い。
【００２２】
操作部１４０は、映像記録装置１００に対する操作指示の入力を行う指示入力部であり、本実施例では、表示部１２１に重ねて配置したタッチパネル１４０ｔ及びボタンスイッチを並べた操作キー１４０ｋで構成されるものとする。何れか一方のみであっても良い。
【００２３】
通信処理部１５０は、ＬＡＮ（Local Area Network）通信部１５１、移動体電話網通信部１５２、ＢｌｕｅＴｏｏｔｈ（登録商標）通信部１５３、で構成される。ＬＡＮ通信部１５１はインターネット２０１の無線通信用アクセスポイント２０２と無線通信により接続してデータの送受信を行う。移動体電話網通信部１５２は移動体電話通信網の基地局２０３との無線通信により、電話通信（通話）及びデータの送受信を行う。ＢｌｕｅＴｏｏｔｈ通信部１５３は対応する機器と無線通信を行う。ＬＡＮ通信部１５１、移動体電話網通信部１５２、ＢｌｕｅＴｏｏｔｈ通信部１５３は、それぞれ符号回路や復号回路、アンテナ等を備えるものとする。更に、赤外線通信部等を備えていても良い。
【００２４】
センサ部１６０は、映像記録装置１００の状態を検出するためのセンサ群であり、本実施例では、ＧＰＳ（Global Positioning System）受信部１６１、加速度センサ１６２、ジャイロセンサ１６３、地磁気センサ１６４、照度センサ１６５、近接センサ１６６、で構成される。これらのセンサ群により、映像記録装置１００の位置、動き、傾き、方角、及び周囲の明るさ、周囲物の近接状況、等を検出することが可能となる。その他のセンサを更に備えていても良い。
【００２５】
拡張インタフェース部１７０は、映像記録装置１００の機能を拡張するためのインタフェース群であり、本実施例では、映像／音声インタフェース、ＵＳＢ（Universal Serial Bus）インタフェース、メモリインタフェース等で構成されるものとする。映像／音声インタフェースは、外部映像／音声出力機器からの映像信号／音声信号の入力、外部映像／音声入力機器への映像信号／音声信号の出力、等を行う。ＵＳＢインタフェースはキーボードやその他のＵＳＢ機器の接続を行う。メモリインタフェースはメモリカードやその他のメモリ媒体を接続してデータの送受信を行う。
【００２６】
また、デジタルテレビ放送受信機能や電子マネー決済機能等、図示していない構成が更に加えられていても良い。
【００２７】
以下では、本実施例の映像記録装置１００の動作に関して説明する。但し、合焦や露光等のカメラ装置としての一般的な動作／操作に関しては、公知であるものとして、説明を極力省略する。また、本実施例の映像記録装置１００の動作は、図１（Ｂ）に示したように、主として、ＲＯＭ１０３の基本動作プログラム１０３ａと、ストレージ部１１０に記憶されたカメラ機能プログラム１１０ａ及び位置情報取得プログラム１１０ｂがＲＡＭ１０４に展開されて主制御部１０１により実行されることによって構成された、基本動作実行部１０４ａ、カメラ機能実行部１０４ｂ、及び位置情報取得実行部１０４ｃによって制御されるものとする。或いは、前述のカメラ機能実行部１０４ｂ、位置情報取得実行部１０４ｃと同等の動作をハードウェアで実現する各ハードウェアブロックを本実施例の映像記録装置１００が更に備え、カメラ機能実行部１０４ｂ、位置情報取得実行部１０４ｃに代替して、前記各ハードウェアブロックが映像記録装置１００の動作を制御するものであっても良い。
【００２８】
図３に本実施例における映像記録装置１００の外観例及び基本画面１２１ａの表示例を示す。なお、図３において、外観図は、映像記録装置１００がスマートホン等の情報端末機器である場合の例であり、図３（Ａ）は映像記録装置１００の表面図、図３（Ｂ）は映像記録装置１００の背面（裏面）図である。左右側面及び天地面等に関しては図示を省略する。なお、図３に示したように、本実施例においては、第一映像入力部１２３は表示部１２１と同一面（表面）に位置し、第二映像入力部１２４は表示部１２１と反対面（背面）に位置するものとする。以下では、表示部１２１と同一面に位置する第一映像入力部１２３を『インカメラ』、表示部１２１と反対面に位置する第二映像入力部１２４を『アウトカメラ』と称する場合がある。なお、第二映像入力部１２４の位置は、表示部１２１と同一面でなければ背面でなくとも良い。また、第二映像入力部１２４は映像記録装置１００と別体であり、有線通信または無線通信により映像記録装置１００と接続されるものであっても良い。
【００２９】
図３（Ａ）において、基本画面１２１ａは、電源キー１４０ｋ１押下より映像記録装置１００の電源がオンされた際に、若しくは、任意のアプリケーションプログラムの実行中にホームキー１４０ｋ２が押下された際に表示部１２１に表示される。基本画面１２１ａには、映像記録装置１００で実行可能な各アプリケーションプログラムに関連付けられたアイコン群１２１ａ１が表示され、何れかのアイコンを選択することにより、選択されたアイコンに関連付けられた所定のアプリケーションプログラムが実行される。
【００３０】
なお、前記アイコンの選択は、目的のアイコンが表示された表示部１２１上の位置に対応するタッチパネル１４０ｔ上の所定の領域をタップ操作する、等により行えば良い。或いは、図示を省略した十字カーソルキー及び決定キー等の操作キーを操作して行っても良い。
【００３１】
基本画面１２１ａで表示されるアイコン１２１ａ２は、本実施例の映像記録装置１００の特徴を為すカメラ機能プログラム１１０ｂに関連付けられたアイコンである。アイコン１２１ａ２をタップ操作等で選択することにより、カメラ機能実行部１０４ｂが起動する。以下、図４に示すフローチャートを用いて、本実施例の映像記録装置１００の特徴を為すカメラ機能の動作例について説明する。
【００３２】
図４において、前述した基本動作実行部１０４ａの制御に基づいて動作する映像記録装置１００の基本画面１２１ａ上のアイコン１２１ａ２をタップ操作等により選択すると、基本動作実行部１０４ａはカメラ機能実行部１０４ｂを起動し、制御主体をカメラ機能実行部１０４ｂに委譲する。そして、ステップＳ１０１において、カメラ機能実行部１０４ｂは、図５に示すような、カメラ機能選択画面１２１ｂを表示部１２１に表示する。カメラ機能選択画面１２１ｂは、撮影アイコン１２１ｂ１、再生アイコン１２１ｂ２、撮影除外場所登録アイコン１２１ｂ３、撮影条件設定アイコン１２１ｂ４、及び終了アイコン１２１ｂ５で構成される。続いて、カメラ機能実行部１０４ｂは、ユーザがカメラ機能選択メニュー画面１２１ｂを構成するアイコンの選択入力の受け付けを行い（Ｓ１０２）、選択したアイコンに従って分岐処理Ｓ１０３を実行する。
【００３３】
Ｓ１０２において終了アイコン１２１ｂ５の選択入力を受け付けた場合には、分岐処理Ｓ１０３においてカメラ機能実行部１０４ｂは制御主体を基本動作実行部１０４ａに返却し、更に、基本動作実行部１０４ａは、基本画面１２１ａを表示して、カメラ機能実行部１０４ｂの動作を終了する。
【００３４】
Ｓ１０２において撮影条件設定アイコン１２１ｂ４の選択入力を受け付けた場合には、分岐処理Ｓ１０３において撮影条件設定処理Ｓ１０４に分岐する。
【００３５】
撮影条件設定処理Ｓ１０４では、図６に示すような撮影条件設定画面１２１ｃを表示部１２１に表示する。撮影条件設定画面１２１ｃは撮影間隔設定ボックス１２１ｃ１、画像保存先を本体の画像データ記憶領域１１０ｃ３とするチェックボックス１２１ｃ２、画像保存先を広域公衆ネットワーク２０１に接続した画像データサーバ２１１とするチェックボックス１２１ｃ３、撮影するカメラをインカメラとするチェックボックス１２１ｃ４、撮影するカメラをアウトカメラとするチェックボックス１２１ｃ５、及び戻るアイコン１２１ｃ６で構成され、各撮影条件設定項目の設定が可能となっている。撮影間隔は、端末の位置情報、使用される時間帯に基いて変えてもよい。画像保存先は本体の画像データ記憶領域１１０ｃ３と画像データサーバ２１１の何れかでもよく、両方を画像保存先とするように設定してもよい。また、撮影するカメラはインカメラとアウトカメラの何れかでもよく、両方のカメラで撮影するように設定するようにしてもよい。例えば両方のカメラを設定した場合にはユーザの前後、或いは左右の画像を同時に撮影することが可能となる。設定した撮影条件はストレージ部１１０の撮影条件設定記憶領域１１０ｃ１に記憶される。
【００３６】
Ｓ１０２において撮影除外場所登録アイコン１２１ｂ３の選択入力を受け付けた場合には、分岐処理Ｓ１０３において撮影除外場所登録処理Ｓ１０５に分岐する。ここで、撮影除外場所とは、画像データの送信を行わない場所、または画像データの取得または保存を行わない場所であり、後述する。
【００３７】
Ｓ１０２において再生アイコン１２１ｂ２の選択入力を受け付けた場合には、分岐処理Ｓ１０３において再生処理Ｓ１０６に分岐する。
【００３８】
Ｓ１０２において撮影アイコン１２１ｂ１の選択入力を受け付けた場合には、分岐処理Ｓ１０３において撮影処理Ｓ１０７に分岐する。
【００３９】
撮影条件設定処理Ｓ１０４、撮影除外場所登録処理Ｓ１０５、再生処理Ｓ１０６、撮影処理Ｓ１０７の各処理の実行後、Ｓ１０１に戻り、カメラ機能選択メニュー画面１２１ｂを表示する。
【００４０】
撮影除外場所登録処理Ｓ１０５の一例について、図７のフローチャート及び図８の表示画面の例を用いて説明する。
【００４１】
図７において、図４の撮影除外場所登録処理Ｓ１０５では、まずストレージ部１１０の撮影除外場所記憶領域１１０ｃ２から撮影除外場所データを読み込む（Ｓ２０１）。次に、図８（Ａ）に示すような撮影除外場所登録画面１２１ｄを表示し（Ｓ２０２）、ユーザによる撮影除外場所登録画面１２１ｃを構成するアイコンの選択入力の受け付けを行う（Ｓ２０３）。
【００４２】
図８（Ａ）に示す撮影除外場所登録画面１２１ｄは、登録されている撮影除外場所のリスト１２１ｄ１、新規登録アイコン１２１ｄ２、戻るアイコン１２１ｄ３で構成される。本実施例では撮影除外場所のリスト１２１ｄ１として２つの場所１２１ｄ１−１と１２１ｄ１−２が表示されている。Ｓ２０３の選択入力で受け付けたアイコンに従って分岐処理を行う。
【００４３】
Ｓ２０３で戻るアイコン１２１ｄ３の選択入力を受け付けた場合には、撮影除外場所登録処理Ｓ１０５を終了し、図４のフローチャートに示すＳ１０１に戻り、カメラ機能選択メニュー画面１２１ｂを表示する。
【００４４】
Ｓ２０３で新規登録アイコン１２１ｄ２の選択入力を受け付けた場合には、Ｓ２０４で新規登録処理Ｓ２１０に分岐し、新規の撮影除外場所を登録し、ストレージ部１１０の撮影除外場所記憶領域１１０ｃ２に記憶する。その後、Ｓ２０２に戻り、撮影除外場所登録画面１２１ｄを表示する。
【００４５】
新規登録処理Ｓ２０５では図８（Ｂ）に示すような新規登録画面１２１ｆを表示部１２１に表示する。新規登録画面１２１ｆは登録されている場所付近の地図とともに、登録アイコン１２１ｆ１、戻るアイコン１２１ｆ２、検索ボックス１２１ｆ３、検索アイコン１２１ｆ４、既に登録されている撮影除外場所の位置を示すマーク１２１ｆ５、１２１ｆ６、新規に登録する撮影除外場所の位置を示すアイコン１２１ｆ７で構成される。検索ボックス１２１ｆ３に撮影除外場所として新たに登録する場所の情報を入力し、検索アイコン１２１ｆ４をタップすることにより検索が行われ、検索した場所の位置付近の地図及び検索した場所の位置にアイコン１２１ｆ７が表示される。或いはアイコン１２１ｆ７を指でタッチしたまま表示された地図上の位置を移動させ、登録したい位置で指を離すことでアイコン１２１ｆ７の位置を移動させる。登録アイコン１２１ｆ１をタップすることで、アイコン１２１ｆ７が表示された地図上の位置が撮影除外場所の位置として新たに登録される。
【００４６】
図４の再生処理Ｓ１０６の一例について、図９のフローチャート及び図１０の表示画面の例を用いて説明する。
【００４７】
図９において、図４の再生処理Ｓ１０６では、まずストレージ部１１０の画像データ記憶領域１１０ｃ３、或いは広域公衆ネットワーク２０１に接続した画像データサーバ２１１から撮影した画像データのリストを取得する（Ｓ３０１）。次に、図１０（Ａ）に示すような撮影画像リスト画面１２１ｇを表示する（Ｓ３０２）。撮影画像リスト画面１２１ｇは撮影画像リスト１２１ｇ１、戻るアイコン１２１ｇ２で構成される。ここでは撮影画像リストとして撮影した日付毎にリストが表示されている。
【００４８】
ユーザによる撮影画像リスト画面１２１ｇを構成するアイコンの選択入力の受け付けを行い（Ｓ３０３）、受け付けた選択入力に従って分岐処理を行う（Ｓ３０４）。
【００４９】
Ｓ３０３で戻るアイコン１２１ｇ２の選択入力を受け付けた場合には、再生処理Ｓ１０６を終了し、図４のフローチャートに示すＳ１０１に戻り、カメラ機能選択メニュー画面１２１ｂを表示する。
【００５０】
Ｓ３０３で撮影画像リスト１２１ｇ１の選択入力を受け付けた場合には、選択したリストに対応した画像データ読み込み（Ｓ３０５）、図１０（Ｂ）に示すような再生画面１２１ｈを表示する（Ｓ３０６）。再生画面１２１ｈは、読み込んだ画像データを表示する画像表示領域１２１ｈ１、画像データを取得した日時を表示する撮影日時表示領域１２１ｈ２、画像データを取得した位置付近の地図表示領域１２１ｈ３、画像データを取得した位置を示す撮影位置マーク１２１ｈ４、停止アイコン１２１ｈ５、再生アイコン１２１ｈ６、戻るアイコン１２１ｈ７で構成される。Ｓ３０５で読み込んだ画像データには、少なくとも付加情報として画像データを取得した日時、画像データを取得した位置のデータが含まれ、この付加情報に基づいて、再生画面１２１ｈの撮影日時表示領域１２１ｈ２、地図表示領域１２１ｈ３、及び撮影位置マーク１２１ｈ４の表示を行なう。
【００５１】
次に、再生画面１２１ｈを構成するアイコンの選択入力の受付を行い（Ｓ３０７）、受け付けた選択入力に従って分岐処理を行う（Ｓ３０８）。
【００５２】
Ｓ３０８で戻るアイコン１２１ｈ７の選択入力を受け付けた場合には、Ｓ３０２に戻り、撮影画像リスト画面１２１ｇを表示する
Ｓ３０８で停止アイコン１２１ｈ５の選択入力を受け付けた場合には、再生フラグを“ＯＦＦ”に設定し（Ｓ３０９）、分岐処理Ｓ３１１に進む。
【００５３】
Ｓ３０８で再生アイコン１２１ｈ６の選択入力を受け付けた場合には、再生フラグを“ＯＮ”に設定し（Ｓ３１０）、分岐処理Ｓ３１１に進む。
【００５４】
Ｓ３０８で選択入力がなかった場合には、分岐処理Ｓ３１１に進む。
【００５５】
Ｓ３１１では再生フラグに従って分岐処理を行う。再生フラグが“ＯＦＦ”の場合にはＳ３０７に戻り、再生画面１２１ｈを構成するアイコンの選択入力の受付を行う。再生フラグが“ＯＮ”の場合にはＳ３０５に戻り、次の画像データの読み込みを行う。
【００５６】
次に、図４の撮影処理Ｓ１０７について、図１１のフローチャートの例を用いて説明する。図１１において、撮影処理の終了入力受付を行う（Ｓ４０１）。終了入力の受け付けは、例えば表示部１２１に終了アイコンを表示し、表示されたアイコンをタップ操作するなどにより行う。
【００５７】
次に、終了入力の有無により分岐処理を行う。Ｓ４０１で終了入力を受け付けた場合（Ｙｅｓ）には、撮影処理Ｓ１０７を終了し、図４のフローチャートに示すＳ１０１に戻り、カメラ機能選択メニュー画面１２１ｂを表示する。
【００５８】
Ｓ４０１で終了入力を受け付けがなかった場合（Ｎｏ）には、位置情報取得実行部１０４ｃはＧＰＳ受信部１６１で受信した位置算出信号に基づいて位置情報を取得する（Ｓ４０３）。
【００５９】
次に、Ｓ１０５で登録した撮影除外場所の情報により、Ｓ４０３で取得した撮影装置１００の現在位置が撮影除外場所から所定の距離の範囲内（例えば５０ｍ以内）か否かにより分岐処理を行う（Ｓ４０４）。現在位置が撮影除外場所から所定の距離の範囲内の場合（Ｙｅｓ）には、Ｓ４０１に戻る。現在位置が撮影除外場所から所定の距離の範囲外の場合（Ｎｏ）には、タイマーが起動されているか否かによる分岐処理を行う（Ｓ４０５）。タイマーが起動されている場合（Ｙｅｓ）には、分岐処理Ｓ４０７に進む。タイマーが起動されていない場合（Ｎｏ）には、タイマーを起動し（Ｓ４０６）、Ｓ４０１に戻る。
【００６０】
Ｓ４０７ではストレージ部１１０の撮影条件設定記憶領域１１０ｃ１に記憶された撮影間隔設定に従って、タイマーが設定した時間間隔以上になったか否かにより分岐処理を行う。設定した時間間隔以下の場合（Ｎｏ）には、Ｓ４０１に戻る。設定した時間間隔を超えた場合（Ｙｅｓ）には、タイマーをリセットして、タイマーの再起動を行う（Ｓ４０８）。
【００６１】
次に、ストレージ部１１０の撮影条件設定記憶領域１１０ｃ１に記憶された撮影条件設定のカメラ選択に従って、選択したカメラから画像データを取得し（Ｓ４０９）、撮影条件として設定された画像データの保存先の設定に従って分岐処理を行う（Ｓ４１０）。
【００６２】
Ｓ４１０では画像データの保存先として、広域公衆ネットワーク２０１に接続した画像データサーバ２１１を選択しているか否かにより分岐処理を行う。保存先として画像データサーバを選択していない場合（Ｎｏ）には、Ｓ４１４に進む。保存先として画像データサーバを選択している場合（Ｙｅｓ）には、広域公衆ネットワークへの接続状況により分岐処理を行う（Ｓ４１１）。広域公衆ネットワークへの接続が確立されていない場合（Ｎｏ）にはＳ４１４に進む。広域公衆ネットワークへの接続が確立されている場合（Ｙｅｓ）には、Ｓ４０３で取得した位置情報、及び撮影した時刻の情報等をＳ４０９で取得した画像データに付加して画像データサーバ２１１に送信し、アップロードする（Ｓ４１２）。
【００６３】
Ｓ４１３では画像データの保存先としてとして、ストレージ部１１０の画像データ記憶領域１１０ｃ３を選択しているか否かにより分岐処理を行う。保存先として画像データ記憶領域１１０ｃ３を選択していない場合（Ｎｏ）には、Ｓ４０１に戻る。保存先として画像データ記憶領域１１０ｃ３を選択している場合（Ｙｅｓ）には、Ｓ４１４に進む。
【００６４】
Ｓ４１４ではＳ４０３で取得した位置情報、及び撮影した時刻の情報等をＳ４０９で取得した画像データに付加して画像データ記憶領域１１０ｃ３に記憶し、Ｓ４０１に戻る。
【００６５】
以上の映像記録装置１００のカメラ機能により、自宅等の撮影除外場所として登録された場所から所定の距離の範囲外に出た場合には、撮影した画像データ及び撮影場所の情報を画像データサーバ或いは画像データ記憶領域１１０ｃ３に保存することができる。また、自宅等の撮影除外場所から所定の距離の範囲内では画像データ及び撮影場所の情報等を保存しないため、ユーザが撮影の終了を忘れた場合にも不要な画像データを画像データサーバに送信し、通信量或いは画像データ記憶領域１１０ｃ３の容量が増大するのを防止することができる。
【００６６】
なお、画像データサーバに画像データを保存する設定において、ネットワーク接続が確立していない場合には画像データ記憶領域１１０ｃ３に保存するようにしたが、撮影処理中、或いは撮影処理後にネットワーク接続が確立した時点で画像データ記憶領域１１０ｃ３に保存した画像を画像データサーバにアップロードするようにしてもよい。
【００６７】
さらに、上記の実施例では外出先から自宅に帰宅する場合のように、撮影除外場所から所定の距離の範囲外から範囲内に移動したときに画像データサーバ或いは画像データ記憶領域への画像の保存が停止するが、撮影除外場所から所定の距離の範囲外から範囲内に移動したときに所定の時間は画像の保存を継続するようにしてもよい。これにより、自宅での待ち伏せや泥棒がいた場合などにも犯人の画像を保存することが可能になる。
【００６８】
また、上記の説明では位置情報取得実行部１０４ｃはＧＰＳ受信部１６１で受信した位置算出信号に基づいて位置情報を取得するものとしたが、これに限らずＬＡＮ通信部１５１で取得した自宅や学校等に設置された無線通信用アクセスポイント２０２のＳＳＩＤ（Service Set Identifier）等の情報を位置算出信号として用い位置情報を取得するようにしてもよい。また、自宅や学校等に設置された無線通信用アクセスポイント２０２のＳＳＩＤが検出可能か否かにより撮影除外場所から所定の距離の範囲内か否かを判断するようにしてもよい。
【００６９】
また、撮影の終了はＳ４０１の終了入力により行うようにしたが、撮影除外場所から所定の距離の範囲外から範囲内に移動したときに終了するようにしてもよい。
【００７０】
また、撮影除外場所に応じて、撮影と、画像データの本体保存と、画像データの送信と、画像データの画像データサーバへの保存の何れか一方、もしくは何れかの組合わせ、もしくは全部を制御してもよい。
【００７１】
以上のように、本実施例は、情報処理装置であって、光学像から画像データを取得する映像入力部と、位置算出信号を取得する信号受信部と、画像データを送信する通信部と、画像データの送信を行わない場所の位置情報を記憶する第１の記憶部と、位置算出信号から取得した位置情報と第１の記憶部に記憶された位置情報に基づいて画像データの送信の実行を制御する制御部を備える。
【００７２】
また、画像データを取得し、取得した画像データを通信部により送信する情報処理装置の画像データ制御方法であって、情報処理装置の位置情報を取得し、取得した位置情報とあらかじめ記憶された画像データの送信を行わない場所の位置情報に基づいて画像データの送信の実行を制御するように構成する。
【００７３】
これにより、より好適な使い勝手を実現する情報処理装置を提供することができる。
【実施例２】
【００７４】
本実施例では、図４の撮影処理Ｓ１０７において撮影するカメラの設定、映像記録装置１００の装着状態等によりユーザの身体周辺の監視画像が撮影されていない状態を防止するものである。
【００７５】
本実施例の撮影処理Ｓ１０７について、図１２のフローチャートの例を用いて説明する。図１２において、図４の撮影処理Ｓ１０７では、まずストレージ部１１０の撮影条件設定記憶領域１１０ｃ１に記憶された撮影条件設定のカメラ選択に従って、選択したカメラから画像データを取得する（Ｓ５０１）。また、位置情報取得実行部１０４ｃはＧＰＳ受信部１６１で受信した信号に基づいて位置情報を取得する（Ｓ５０２）。次に、取得した画像データと位置情報に基づいて、図１３に示すような撮影画面１２１ｉを表示する（Ｓ５０３）。撮影画面１２１ｉは、選択したカメラから取得した画像データを表示する画像表示領域１２１ｉ１、位置情報取得実行部１０４ｃにより取得した位置情報に基づいて映像記録装置１００の位置を表示する地図表示領域１２１ｉ２及び撮影位置マーク１２１ｉ３、戻るアイコン１２１ｉ４、停止アイコン１２１ｉ５、録画アイコン１２１ｉ６で構成される。ここで、撮影条件設定のカメラ選択でインカメラとアウトカメラのどちらか一つを選択した場合には、図１３（Ａ）のように設定した何れかのカメラから取得した画像を画像表示領域１２１ｉ１に表示する。また、インカメラとアウトカメラの両方を選択した場合には、図１３（Ｂ）のように両方のカメラで取得した画像を画像表示領域１２１ｉ１−１、１２１ｉ１−２に表示する。
【００７６】
次に、取得した画像データの最大輝度レベルを確認し、分岐処理を行う（Ｓ５０４）。例えばアウトカメラで撮影する設定した状態で、図１４（Ａ）に示すように撮影装置１００をポケットに入れている場合には、アウトカメラは隠れた状態になるため、取得した画像の輝度レベルは非常に低いものになる。そこで、取得した画像の最大輝度レベルが所定の閾値以下の場合（Ｙｅｓ）には撮影するカメラの設定、映像記録装置１００の装着状態等の確認を促すために、警告音の発生及び警告画面１２１ｊを表示する（Ｓ５２２）。図１５に警告画面１２１ｊの構成例を示す。警告画面１２１ｊは、撮影するカメラをインカメラとするチェックボックス１２１ｊ１、撮影するカメラをアウトカメラとするチェックボックス１２１ｊ２、及び終了アイコン１２１ｊ３、確認アイコン１２１ｊ4で構成される。
【００７７】
例えば、図１４（Ａ）のようにアウトカメラは隠れた状態で警告画面１２１ｊが表示された場合には、撮影するカメラをインカメラとするチェックボックス１２１ｊ１を選択する、或いは図１４（Ｂ）に示すようにアウトカメラで撮影可能な装着状態とする。
【００７８】
次に、警告画面１２１ｊを構成するアイコンの選択入力の受付を行い（Ｓ５２３）、受け付けた選択入力に従って分岐処理を行う（Ｓ５２４）。
【００７９】
選択入力受付Ｓ５２３で確認アイコン１２１ｊ４が選択入力された場合には、Ｓ５０１に戻り、選択したカメラからの画像データを取得する。
【００８０】
選択入力受付Ｓ５２３で終了アイコン１２１ｊ３が選択入力された場合には、撮影処理Ｓ１０７を終了し、図４のフローチャートに示すＳ１０１に戻り、カメラ機能選択メニュー画面１２１ｂを表示する。
【００８１】
Ｓ５０４の分岐処理において、Ｓ５０１で取得した画像の最大輝度レベルが所定の閾値以上の場合（Ｎｏ）には、撮影画面１２１ｉを構成するアイコンの選択入力の受付を行い（Ｓ５０５）、受け付けた選択入力に従って分岐処理を行う（Ｓ５０６）。
【００８２】
Ｓ５０５で戻るアイコン１２１ｉ４の選択入力を受け付けた場合には、撮影処理Ｓ１０７を終了し、図４のフローチャートに示すＳ１０１に戻り、カメラ機能選択メニュー画面１２１ｂを表示する。
【００８３】
Ｓ５０５で録画アイコン１２１ｉ６の選択入力を受け付けた場合には、録画フラグを“ＯＮ”に設定し、分岐処理Ｓ５１０に進む。
【００８４】
Ｓ５０５で停止アイコン１２１ｉ５の選択入力を受け付けた場合には、録画フラグを“ＯＦＦ”に設定し、タイマーをリセットし（Ｓ５０９）、分岐処理Ｓ５１０に進む。
【００８５】
Ｓ５０５で選択入力がなかった場合には、分岐処理Ｓ５１０に進む。
【００８６】
Ｓ５１０では録画フラグに従って分岐処理を行う。録画フラグが“ＯＦＦ”の場合には、Ｓ５０１に戻り、選択したカメラからの画像データを取得する。録画フラグが“ＯＮ”に場合には、タイマーが起動されているか否かによる分岐処理を行う（Ｓ５１１）。タイマーが起動されている場合（Ｙｅｓ）には、分岐処理Ｓ５１３に進む。タイマーが起動されていない場合（Ｎｏ）には、タイマーを起動し（Ｓ５１２）、Ｓ５０１に戻る。
【００８７】
Ｓ５１３ではストレージ部１１０の撮影条件設定記憶領域１１０ｃ１に記憶された撮影間隔設定に従って、タイマーが設定した時間間隔以上になったか否かにより分岐処理を行う。設定した時間間隔以下の場合（Ｎｏ）には、Ｓ５０１に戻る。設定した時間間隔を超えた場合（Ｙｅｓ）には、タイマーをリセットして、タイマーの再起動を行う（Ｓ５１４）。
【００８８】
次に、Ｓ１０５で登録した撮影除外場所の情報により、Ｓ５０２で取得した撮影装置１００の現在位置が撮影除外場所から所定の距離の範囲内か否かにより分岐処理を行う（Ｓ５１５）。現在位置が撮影除外場所から所定の距離の範囲内の場合（Ｙｅｓ）には、Ｓ５０１に戻る。現在位置が撮影除外場所から所定の距離の範囲外の場合（Ｎｏ）には、撮影条件として設定された画像データの保存先の設定に従って分岐処理を行う（Ｓ５１６）。
【００８９】
Ｓ５１６では画像データの保存先としてとして、広域公衆ネットワーク２０１に接続した画像データサーバ２１１を選択しているか否かにより分岐処理を行う。保存先として画像データサーバを選択していない場合（Ｎｏ）には、Ｓ５１９に進む。保存先として画像データサーバを選択している場合（Ｙｅｓ）には、広域公衆ネットワークへの接続状況により分岐処理を行う（Ｓ５１７）。広域公衆ネットワークへの接続が確立されていない場合（Ｎｏ）にはＳ５２０に進む。広域公衆ネットワークへの接続が確立されている場合（Ｙｅｓ）には、Ｓ５０２で取得した位置情報、及び撮影した時刻の情報等をＳ５０１で取得した画像データに付加して画像データサーバ２１１にアップロードする（Ｓ５１８）。
【００９０】
Ｓ５１９では画像データの保存先としてとして、ストレージ部１１０の画像データ記憶領域１１０ｃ３を選択しているか否かにより分岐処理を行う。保存先として画像データ記憶領域１１０ｃ３を選択していない場合（Ｎｏ）には、Ｓ５０１に戻る。保存先として画像データ記憶領域１１０ｃ３を選択している場合（Ｙｅｓ）には、Ｓ５２０に進む。
【００９１】
Ｓ５２０ではＳ５０２で取得した位置情報、及び撮影した時刻の情報等をＳ５０１で取得した画像データに付加して画像データ記憶領域１１０ｃ３に記憶し、Ｓ５０１に戻る。
【００９２】
本実施例では取得した画像の最大輝度レベルが所定の閾値以下の場合には撮影するカメラの設定、映像記録装置１００の装着状態等の確認を促すために、Ｓ５２１において警告音の発生及び警告画面１２１ｊを表示するようにしたが、自動的にカメラの選択を切り替えるようにしてもよい。
【００９３】
また、第二映像入力部１２４が映像記録装置１００と別体であり、有線通信または無線通信により映像記録装置１００と接続するカメラを用いた場合には、Ｓ５０１において撮影画像を取得する際にカメラの接続を確認し、カメラが接続されていない場合には警告音の発生及び警告画面を表示するようにしてもよい。
【実施例３】
【００９４】
本実施例では、例えば自宅から学校までの経路において撮影を行う場合に対応するものであり、経路における電車等を利用する区間などを撮影除外場所とするものである。
【００９５】
図１６は本実施例の映像記録装置１００のソフトウェア構成図であり、図１（Ｂ）と同一機能部分には同じ番号を付し、説明を省略する。
【００９６】
図１６において、ストレージ部１１０に記憶された経路検索プログラム１１０ｄ、及びスケジュール管理プログラム１１０ｅがＲＡＭ１０４に展開され、主制御部１０１により実行されることで経路検索実行部１０４ｄ及びスケジュール管理実行部１０４ｅが構成される。また、ストレージ部１１０には経路情報を記憶する経路情報記憶領域１１０ｃ４が設けられている。スケジュール管理実行部１０４ｅは後述するスケジュール割込み設定に従って、設定した時刻、曜日などの条件により割込みを発生する。
【００９７】
以下、図１７に示すフローチャート、及び図１８に示す画面表示例を用いて、本実施例の映像記録装置１００の特徴を為すカメラ機能の動作について説明する。図１７及び図１８において、図４及び図５と同一機能部分には同じ符号を付し、説明を省略する。
【００９８】
図１７において、前述した基本動作実行部１０４ａの制御に基づいて動作する映像記録装置１００の基本画面１２１ａ上のアイコン１２１ａ２をタップ操作等により選択すると、基本動作実行部１０４ａはカメラ機能実行部１０４ｂを起動し、制御主体をカメラ機能実行部１０４ｂに委譲する。そして、ステップＳ１０９において、カメラ機能実行部１０４ｂは、スケジュール管理実行部１０４ｄによる割込み発生の有無を確認し、分岐処理を行う。スケジュール割込みの発生がある場合（Ｙｅｓ）には、スケジュール撮影処理を実行する（Ｓ１１０）。スケジュール割込みの発生がない場合（Ｎｏ）には、図１８に示すような、カメラ機能選択画面１２１ｂを表示部１２１に表示する（Ｓ１０１）。カメラ機能選択画面１２１ｂは、撮影アイコン１２１ｂ１、経路撮影アイコン１２１ｂ６、再生アイコン１２１ｂ２、撮影除外場所登録アイコン１２１ｂ３、撮影条件設定アイコン１２１ｂ４、及び終了アイコン１２１ｂ５で構成される。
【００９９】
更に、カメラ機能実行部１０４ｂは、ユーザがカメラ機能選択メニュー画面１２１ｂを構成するアイコンの選択入力の受け付けを行い（Ｓ１０２）、選択したアイコンに従って分岐処理Ｓ１０３を実行する。
【０１００】
Ｓ１０２において終了アイコン１２１ｂ５の選択入力を受け付けた場合には、分岐処理Ｓ１０３において、カメラ機能実行部１０４ｂは制御主体を基本動作実行部１０４ａに返却し、更に、基本動作実行部１０４ａは、基本画面１２１ａを表示して、カメラ機能実行部１０４ｂの動作を終了する。
【０１０１】
Ｓ１０２において撮影条件設定アイコン１２１ｂ４の選択入力を受け付けた場合には、分岐処理Ｓ１０３において撮影条件設定処理Ｓ１０４に分岐する。
【０１０２】
Ｓ１０２において撮影除外場所登録アイコン１２１ｂ３の選択入力を受け付けた場合には、分岐処理Ｓ１０３において撮影除外場所登録処理Ｓ１０５に分岐する。
【０１０３】
Ｓ１０２において再生アイコン１２１ｂ２の選択入力を受け付けた場合には、分岐処理Ｓ１０３において再生処理Ｓ１０６に分岐する。
【０１０４】
Ｓ１０２において撮影アイコン１２１ｂ１の選択入力を受け付けた場合には、分岐処理Ｓ１０３において撮影処理Ｓ１０７に分岐する。
【０１０５】
Ｓ１０２において経路撮影アイコン１２１ｂ６の選択入力を受け付けた場合には、分岐処理Ｓ１０３において経路撮影処理Ｓ１０８に分岐する。
【０１０６】
そして、撮影条件設定処理Ｓ１０４、撮影除外場所登録処理Ｓ１０５、再生処理Ｓ１０６、撮影処理Ｓ１０７、経路撮影処理Ｓ１０８、スケジュール撮影処理Ｓ１１０の各処理の実行後、Ｓ１０９に戻る。
【０１０７】
経路撮影処理Ｓ１０８について、図１９のフローチャートの例を用いて説明する。図１９において、まず、ストレージ部１１０の経路情報記憶領域１１０ｃ４から経路情報を読み込む（Ｓ６０１）。次に、図２０に示すような経路リスト画面１２１ｋを表示部１２１に表示する（Ｓ６０２）。経路リスト画面１２１ｋは登録された経路のリスト１２１ｋ１、削除アイコン１２１ｋ２、新規アイコン１２１ｋ３、戻るアイコン１２１ｋ４、開始アイコン１２１ｋ５で構成される。
【０１０８】
次に、カメラ機能実行部１０４ｂは、ユーザによる経路リスト画面１２１ｋを構成するアイコンの選択入力の受け付けを行い（Ｓ６０３）、選択したアイコンに従って分岐処理Ｓ６０４を実行する。
【０１０９】
Ｓ６０３において、戻るアイコン１２１ｋ４の選択入力を受け付けた場合には、分岐処理Ｓ６０４により経路撮影処理Ｓ１０８を終了し、図１７のＳ１０１に戻り、カメラ機能選択メニュー画面１２１ｂを表示する。
【０１１０】
Ｓ６０３において、削除アイコン１２１ｋ２の選択入力を受け付けた場合には、経路のリスト１２１ｋ１で選択した経路の登録を経路情報記憶領域１１０ｃ４から削除する（Ｓ６０５）。その後、Ｓ６０２に戻り、経路リスト画面１２１ｋを表示する。
【０１１１】
経路のリスト１２１ｋ１での経路の選択は、選択する経路が表示された表示部１２１上の位置に対応するタッチパネル１４０ｔ上の所定の領域をタップ操作する、等により行えば良い。或いは、図示を省略した十字カーソルキー及び決定キー等の操作キーを操作して行っても良い。図２０では経路のリスト１２１ｋ１の「登校経路」（１２１ｋ−１）が選択され、経路表示の色が反転している例を示している。
【０１１２】
Ｓ６０３において、新規アイコン１２１ｋ３の選択入力を受け付けた場合には、Ｓ６０４で後述する新規経路登録処理Ｓ６０６に分岐し、新規の経路を登録し、ストレージ部１１０の経路情報記憶領域１１０ｃ４に記憶する。その後、Ｓ６０２に戻り、経路リスト画面１２１ｋを表示する。
【０１１３】
Ｓ６０３において、開始アイコン１２１ｋ５の選択入力を受け付けた場合には、Ｓ６０１で読み込んだ経路情報記憶領域１１０ｃ４に記憶された経路情報から、経路のリスト１２１ｋ１で選択した経路で撮影除外する区間を設定する（Ｓ６０７）。次に、録画フラグを“ＯＮ”に設定し（Ｓ６０８）、撮影処理Ｓ６０９に進む。ここで、撮影処理Ｓ６０９は図１２のフローチャートで示した撮影処理Ｓ１０７と同じであり、説明を省略する。ここでは、Ｓ５１５においてＳ５０２で取得した位置がＳ６０７で設定した撮影除外する区間から所定の距離の範囲内か否か、及びストレージ部１１０の撮影除外場所記憶領域１１０ｃ２に記憶された撮影除外場所から所定の距離の範囲内か否かにより分岐処理を行う。
【０１１４】
新規経路登録処理Ｓ６０６について、図２１に示すフローチャートの例を用いて説明する。図２１において、新規経路登録処理Ｓ６０６では、まず図２２（Ａ）に示すような経路の出発地及び目的地を入力するための経路検索画面１２１Ｌを表示する（Ｓ７０１）。経路検索画面１２１Ｌは、例えば出発地入力ボックス１２１Ｌ１、目的地入力ボックス１２１Ｌ２、戻るアイコン１２１Ｌ３、検索アイコン１２１Ｌ４で構成される。
【０１１５】
次に、ユーザによる経路検索画面１２１Ｌを構成する出発地入力ボックス１２１Ｌ１、目的地入力ボックス１２１Ｌ２への入力の受け付け、及びアイコンの選択入力の受け付けを行い（Ｓ７０２）、受け付けた選択入力に従って分岐処理を行う（Ｓ７０３）。
【０１１６】
Ｓ７０２で戻るアイコン１２１Ｌ３の選択入力を受け付けた場合には、新規経路登録処理Ｓ６０６を終了し、図１９のフローチャートに示すＳ６０２に戻り、経路リスト画面１２１ｋを表示する。
【０１１７】
Ｓ７０２で検索アイコン１２１Ｌ４の選択入力を受け付けた場合には、出発地入力ボックス１２１Ｌ１に入力された出発地の情報、目的地入力ボックス１２１Ｌ２に入力された目的地の情報に基づいて、経路検索実行部１０４ｄにより経路の検索を行う（Ｓ７０４）。
【０１１８】
次に、図２２（Ｂ）に示すような経路選択画面１２１Ｍを表示する（Ｓ７０５）。経路選択画面１２１Ｍは、例えば経路候補リスト１２１Ｍ１、戻るアイコン１２１Ｍ２、決定アイコン１２１Ｍ３で構成される。経路候補リスト１２１Ｍ１には、Ｓ７０４の検索で得られた経路の候補を選択する候補選択アイコン、徒歩や電車などの経路の移動手段などが表示される。本例では経路の候補を選択するアイコンとして１２１Ｍ１−１、１２１Ｍ１−２が表示されており、選択した経路のアイコンの色が反転して表示されている。経路候補リスト１２１Ｍ１での経路の選択は、候補選択アイコンが表示された表示部１２１上の位置に対応するタッチパネル１４０ｔ上の所定の領域をタップ操作する、等により行えば良い。
【０１１９】
次に、カメラ機能実行部１０４ｂは、ユーザによる経路選択画面１２１Ｍを構成するアイコンの選択入力の受け付けを行い（Ｓ７０６）、選択したアイコンに従って分岐処理Ｓ７０７を実行する。
【０１２０】
Ｓ７０６で戻るアイコン１２１Ｍ２の選択入力を受け付けた場合には、Ｓ７０１に戻り、経路検索画面１２１Ｌを表示する。
【０１２１】
Ｓ７０６で決定アイコン１２１Ｍ３の選択入力を受け付けた場合には、選択した候補選択アイコンに対応した経路について、図２２（Ｃ）に示すような、カメラでの撮影した画像を保存しない区間を選択する撮影除外区間設定画面１２１Ｎを表示する（Ｓ７０８）。
【０１２２】
撮影除外区間設定画面１２１Ｎは、例えば移動手段毎の経路のリスト１２１Ｎ１、戻るアイコン１２１Ｎ２、決定アイコン１２１Ｎ３で構成される。経路のリスト１２１Ｎ１には移動手段毎の経路の区間と、撮影除外する区間を設定するためのチェックボックスが表示される。本例では撮影除外する区間を選択するチェックボックスとして１２１Ｎ１−１、１２１Ｎ１−２、１２１Ｎ１−３が表示されており、選択した経路のチェックボックスの色が反転して表示されている。ここでは、チェックボックス１２１Ｎ１−２が選択され、電車の区間が撮影除外区間として選択されている例を示している。
【０１２３】
なお、撮影除外区間として選択していない区間において、ユーザが経路検索で得られた経路から外れて移動した場合にも、カメラで撮影した画像の保存を行うものとする。
【０１２４】
次に、カメラ機能実行部１０４ｂは、ユーザによる経路のリスト１２１Ｎ１のチェックボックスの選択、及び撮影除外区間設定画面１２１Ｎを構成するアイコンの選択入力の受け付けを行い（Ｓ７０９）、選択したアイコンに従って分岐処理Ｓ７１０を実行する。
【０１２５】
Ｓ７０９で戻るアイコン１２１Ｎ２の選択入力を受け付けた場合には、Ｓ７０５に戻り、経路選択画面１２１Ｍを表示する。
【０１２６】
Ｓ７０９で決定アイコン１２１Ｎ３の選択入力を受け付けた場合には、図２２（Ｄ）に示すような経路登録画面１２１Ｏを表示する（Ｓ７１１）。経路登録画面１２１Ｏは、例えば登録名入力ボックス１２１Ｏ１、スケジュールＯＮ／ＯＦＦ設定チェックボックス１２１Ｏ２、時刻設定ボックス１２１Ｏ３、曜日設定チェックボックス１２１Ｏ４、戻るアイコン１２１Ｏ５、登録アイコン１２１Ｏ６で構成される。経路撮影を実行する曜日の選択入力は曜日設定チェックボックス１２１Ｏ４が表示された表示部１２１上の位置に対応するタッチパネル１４０ｔ上の所定の領域をタップ操作する、等により行えば良い。ここでは、選択された曜日のチェックボックスの色が反転して表示されている。
【０１２７】
次に、カメラ機能実行部１０４ｂは、ユーザによる経路登録画面１２１Ｏの登録名入力ボックス１２１Ｏ１への登録名の入力、スケジュールＯＮ／ＯＦＦ設定チェックボックス１２１Ｏ２、時刻設定ボックス１２１Ｏ３への時刻の入力、及びアイコンの選択入力の受け付けを行い（Ｓ７１２）、選択したアイコンに従って分岐処理Ｓ７１３を実行する。
【０１２８】
Ｓ７１２で戻るアイコン１２１Ｏ５の選択入力を受け付けた場合には、Ｓ７０８に戻り、撮影除外区間設定画面１２１Ｎを表示する。
【０１２９】
Ｓ７１２で登録アイコン１２１Ｏ４の選択入力を受け付けた場合には、経路選択画面１２１Ｍで選択した経路の情報、撮影除外区間設定画面１２１Ｎで選択した撮影除外区間の情報、経路撮影を実行するスケジュールの情報等を、経路登録画面１２１Ｏの登録名入力ボックス１２１Ｏ１に入力した登録名で登録し、ストレージ部１１０の経路情報記憶領域１１０ｃ４に保存する（Ｓ７１４）。
【０１３０】
次に、スケジュールＯＮ／ＯＦＦ設定チェックボックス１２１Ｏ２によるスケジュールＯＮ／ＯＦＦ設定により分岐処理を行う（Ｓ７１５）。スケジュール設定が“ＯＦＦ”の場合には新規経路登録処理Ｓ６０６を終了し、図１９のフローチャートに示すＳ６０２に戻り、経路リスト画面１２１ｋを表示する。スケジュール設定が“ＯＮ”の場合には、経路登録画面１２１Ｏで入力した日時、曜日に割込みが発生するようにスケジュール管理実行部１０４ｅの設定を行い（Ｓ７１６）、新規経路登録処理Ｓ６０６を終了する。
【０１３１】
スケジュール撮影処理Ｓ１１０について、図２３に示すフローチャートの例を用いて説明する。図２３において、スケジュール撮影処理Ｓ１１０では、まずスケジュール割込みが発生した時刻にスケジュール登録された経路の情報をストレージ部１１０の経路情報記憶領域１１０ｃ４から読み込む（Ｓ８０１）。読み込んだ経路情報から、撮影除外区間として登録された区間を撮影除外場所として設定する（Ｓ８０２）。次に、録画フラグをＯＮに設定し（Ｓ８０３）、撮影処理Ｓ８０４に進む。ここで、撮影処理Ｓ８０４は図１２のフローチャートで示した撮影処理Ｓ１０７と同じであり、説明を省略する。ここでは、図１２のＳ５１５においてＳ５０２で取得した位置がＳ８０２で設定した撮影除外する区間から所定の距離の範囲内か否か、及びストレージ部１１０の撮影除外場所記憶領域１１０ｃ２に記憶された撮影除外場所から所定の距離の範囲内か否かにより分岐処理を行う。
【０１３２】
上記の実施例では、出発地から目的までの経路を検索し、経路における移動手段毎に撮影除外区間を設定することにより、電車等の交通機関を利用する区間を容易に撮影除外登録することができる。また、経路中の比較的安全な区間では撮影した画像データ及び撮影場所の情報を保存しないように設定でき、画像データサーバに送信する通信容量或いは画像データ記憶領域の容量を節約することができる。
【０１３３】
さらに、撮影処理のスケジュールを設定することで、自動的に撮影を開始するので、登校する際などに撮影の開始を忘れて画像データの保存ができない事態を防止することが可能となる。
【０１３４】
なお、上記の実施例では経路における撮影除外区間をユーザが設定するようにしたが、予め公共交通機関などを安全な区間として登録されたデータを出荷時にストレージ部に記憶、或いはネットワークを介して取得し、撮影除外区間として設定するようにしてもよい。
【０１３５】
また、同じ場所、或いは経路でも時間帯によって危険度が変わるような場合に対応するため、時間帯により撮影場外する場所或いは経路の設定を変えるようにしてもよい。
【０１３６】
さらに、予め安全な場所、安全な区間、及び安全な時間帯のデータを出荷時にストレージ部に記憶、或いはネットワークを介して取得し、安全な場所、安全な区間、及び安全な時間帯以外は撮影を促すリコメンデーション機能を設けるようにしてもよい。
【０１３７】
また、上記の実施例では撮影処理のスケジュールをユーザが設定するようにしたが、例えば画像データサーバ或いはストレージ部１１０の画像データ記憶領域１１０ｃ３に保存された撮影画像データのリストの曜日及び撮影時刻の情報から、同じ曜日にほぼ同じ時刻、例えば所定の時間幅30分の間、に撮影開始した画像データが所定の回数以上存在する場合には、撮影の曜日及び撮影開始時刻をスケジュールとして自動的に設定するようにしてもよい。撮影開始時刻は、例えば所定の時間幅の最も早い時刻とする。
【０１３８】
また、第二映像入力部１２４が映像記録装置１００と別体である場合の構成例について図２４を用いて説明する。図２４は、映像記録装置１００とカメラ３００が別体となっており、有線通信により映像記録装置１００の映像入力インタフェースとカメラ３００が接続されている例である。もちろん、無線通信により接続されていてもよい。図２４においては、例えば、３０１は赤外線ＬＥＤであり、カメラ３００は赤外線カメラの機能を有しており、赤外線ＬＥＤ３０１による赤外線照査でカメラ３００により赤外線撮影を行うことで、夜間での撮影を可能と出来る。
【０１３９】
以上のように、本実施例は、情報処理装置であって、光学像から画像データを取得する映像入力部と、位置算出信号を取得する信号受信部と、画像データを送信する通信部と、画像データの送信を行わない場所の位置情報を記憶する第１の記憶部と、２つの地点の移動手段毎の経路と、移動手段毎の経路において画像データの送信を行わない区間を記憶する第２の記憶部を有し、位置算出信号から取得した位置情報と第１の記憶部に記憶された位置情報と第２の記憶部に記憶された区間に基づいて画像データの送信の実行を制御する制御部を有する。
【０１４０】
また、映像入力部からの画像データを取得する日時を記憶するスケジュール記憶部と、スケジュール記憶部に記憶された日時に割込みを発生するスケジュール管理部を有し、制御部は、割込みが発生したときに第２の記憶部に記憶された移動手段毎の経路において画像データの送信を行わない区間を読み込み、位置算出信号から取得した位置情報と、第１の記憶部に記憶された位置情報と第２の記憶部に記憶された区間に基づいて画像データの送信の実行を制御するように構成する。
【０１４１】
また、制御部は、割込みが発生したときに位置算出信号から取得した位置情報と、第１の記憶部に記憶された位置情報に基づいて画像データの送信の実行を制御するように構成する。
【０１４２】
前述した本発明の機能等は、それらの一部または全部を、例えば集積回路で設計する等によりハードウェアで実現しても良い。また、マイクロプロセッサユニット等がそれぞれの機能等を実現するプログラムを解釈して実行することによりソフトウェアで実現しても良い。ハードウェアとソフトウェアを併用しても良い。
【０１４３】
なお、前述の実施例においては、本発明の機能等を、主として、カメラ機能プログラム１１０ａと経路検索プログラム１１０ｂとスケジュール管理プログラム１１０ｃの三つのプログラムを実行することにより実現するものとして記述しているが、前記三つのプログラムの各機能と同一の機能を有する只一つのプログラムを実行することにより、本発明の機能を実現するように構成しても良い。前記各プログラムは、製品出荷の時点で、予め映像記録装置１００のＲＯＭ１０３若しくはストレージ部１１０等に格納された状態であっても良い。製品出荷後に、インターネット２０１上のアプリケーションサーバ２１１等からＬＡＮ通信部１５１若しくは移動体電話網通信部１５２を介して取得するものであっても良い。また、メモリカード等に格納された前記プログラムを、拡張インタフェース部１７０を介して取得しても良い。
【０１４４】
また、図中に示した制御線や情報線は説明上必要と考えられるものを示しており、必ずしも製品上の全ての制御線や情報線を示しているとは限らない。実際には殆ど全ての構成が相互に接続されていると考えても良い。
【０１４５】
以上実施例について説明したが、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加、削除、置換をすることが可能である。
【符号の説明】
【０１４６】
１００：映像記録装置、１０１：主制御部、１０２：システムバス、１０３：ＲＯＭ、１０４：ＲＡＭ、１０４ａ：基本動作実行部、１０４ｂ：カメラ機能実行部、１０４ｃ：位置情報取得実行部、１０４ｄ：経路検索実行部、１０４ｅ：スケジュール管理実行部、１１０：ストレージ部、１２０：映像処理部、１２１：表示部、１２２：映像信号処理部、１２３：第一映像入力部、１２４：第二映像入力部、１３０：音声処理部、１３１：音声出力部、１３２：音声信号処理部、１３３：音声入力部、１４０：操作部、１５０：通信処理部、１６０：センサ部、１７０：拡張インタフェース部
【図１（Ａ）】
0006758820.tif 000002
【図１（Ｂ）】
0006758820.tif 000003
【図２】
0006758820.tif 000004
【図３】
0006758820.tif 000005
【図４】
0006758820.tif 000006
【図５】
0006758820.tif 000007
【図６】
0006758820.tif 000008
【図７】
0006758820.tif 000009
【図８】
0006758820.tif 000010
【図９】
0006758820.tif 000011
【図１０】
0006758820.tif 000012
【図１１】
0006758820.tif 000013
【図１２】
0006758820.tif 000014
【図１３】
0006758820.tif 000015
【図１４】
0006758820.tif 000016
【図１５】
0006758820.tif 000017
【図１６】
0006758820.tif 000018
【図１７】
0006758820.tif 000019
【図１８】
0006758820.tif 000020
【図１９】
0006758820.tif 000021
【図２０】
0006758820.tif 000022
【図２１】
0006758820.tif 000023
【図２２】
0006758820.tif 000024
【図２３】
0006758820.tif 000025
【図２４】
0006758820.tif 000026